(57)【要約】【課題】本発明は携帯端末と補聴器の無線通信に関し、携帯電波の発する連続バースト電波に由来する雑音のない携帯端末アダプタとそれを用いた補聴器システムを提供する。【解決手段】前記携帯端末アダプタは、前記携帯端末の音を収集する第一のマイクに接続された信号処理部と、この信号処理部からの信号を磁気通信変調する磁気通信変調部と、この磁気通信変調部の信号を送信する第一のアンテナとを有する構成とし、前記補聴器は、周囲の音を収集する第二のマイクの出力側に切り替え部を介して接続された補聴処理部と、この補聴処理部の出力側に接続されたレシーバと、前記切り替え部の入力側に磁気通信復調部を介して接続された磁気通信を受信する第三のアンテナと、前記第三のアンテナからの磁気通信を検出した場合に、前記切り替え部に対して、前記磁気通信復調部からの信号を前記補聴処理部に出力されるように指示する磁気通信検出部とを有する構成とした。【選択図】図１
2014011710.tif 000002
【特許請求の範囲】
【請求項１】
補聴器に対して携帯端末からの音声信号を送信する携帯端末アダプタであって、
前記携帯端末に装着されるアダプタ本体と、
このアダプタ本体内に設けられるとともに、前記携帯端末の音を収集する第一のマイクと、
この第一のマイクに接続された信号処理部と、
この信号処理部からの信号を磁気通信変調する磁気通信変調部と、
この磁気通信変調部の信号を送信する第一のアンテナとを有する携帯端末アダプタ。
【請求項２】
アダプタ本体の携帯端末装着面には、集音用開口部を設けた請求項１に記載の携帯端末アダプタ。
【請求項３】
アダプタ本体には音量調整ボタンを設けた請求項１または２に記載の携帯端末アダプタ。
【請求項４】
アダプタ本体には、前記携帯端末の発する電波の強度が所定のレベルを超えた場合に、少なくとも前記第一のマイクの電源を投入する携帯端末電波検出部を設けた請求項１から３のいずれか一つに記載の携帯端末アダプタ。
【請求項５】
携帯端末電波検出部は、携帯端末の電波の検波回路の検波出力電流を用いて内部回路を動作させることを特徴とする請求項４に記載の携帯端末アダプタ。
【請求項６】
携帯端末電波検出部は、
前記アダプタ本体の第二のアンテナに接続され、この携帯端末が電波を受信したことを検出するとともに、前記信号処理部から前記磁気通信変調部に対しての信号送信を行うか否かを制御する構成とした請求項５に記載の携帯端末アダプタ。
【請求項７】
磁気通信変調部は、前記信号処理部からの出力により、搬送周波数の振幅・位相・周波数の内いずれか一つ以上をデジタル変調する請求項１に記載の携帯端末アダプタ。
【請求項８】
請求項１から７のいずれか一つに記載の携帯端末アダプタと、
この携帯端末アダプタから前記携帯端末の音声信号が送信される補聴器とを備え、
前記補聴器は、
周囲の音を収集する第二のマイクと、
この第二のマイクの出力側に切り替え部を介して接続された補聴処理部と、
この補聴処理部の出力側に接続されたレシーバと、
前記切り替え部の入力側に磁気通信復調部を介して接続された磁気通信を受信する第三のアンテナと、
前記第三のアンテナからの磁気通信を検出した場合に、前記切り替え部に対して、前記磁気通信復調部からの信号を前記補聴処理部に出力されるように指示する磁気通信検出部とを有する補聴器システム。
【発明の詳細な説明】
【技術分野】
【０００１】
本発明は、携帯端末アダプタとそれを用いた補聴器システムに関し、例えば携帯電話や携帯情報端末を含む携帯端末に取付けて補聴器に非接触で信号を送信する物に関するものである。
【背景技術】
【０００２】
固定電話だけの時代から携帯電話やスマートホンが実現された現代まで補聴器で電話の音声を綺麗に聞きたいという要求は強い。しかし補聴器をかけた耳の近くに電話を近づけると補聴器のレシーバから漏れた音が受話器の表面で反射してマイクに入力されることから利得の高い補聴器ではハウリングが起こり使用できなくなるとう問題があった。それを解決するために以下のような方法が実用化されている。その一つは補聴器内にテレコイルと呼ばれる音声帯域の磁界を受信するコイルを設け、受話器から漏れる振動版の駆動磁界を検出して音声を再生する方法であり、入力回路がマイクからテレコイルに切替わることでレシーバからマイクへの帰還がなくなりハウリングが起こらないという利点がある（例えば、特許文献１参照）。
【０００３】
またもう一つは、携帯電話での搭載率の高いＢｌｕｅｔｏｏｔｈ（登録商標）と呼ばれる小電力無線インターフェースを利用する方法である（例えば、特許文献２参照）。
【０００４】
尚、Ｂｌｕｅｔｏｏｔｈを使用する方法では電話と補聴器が１０ｍ近く離れていても使用することが可能であるが、消費電力の大きいＢｌｕｅｔｏｏｔｈを補聴器に内蔵するのは難しいので、ネックストラップを用いて首に掛ける形状の中継装置にＢｌｕｅｔｏｏｔｈを内蔵して携帯電話と無線接続し、中継装置から補聴器へは、補聴器側の消費電力が極めて小さい微弱電波を用いた磁気通信インターフェースを用いて接続する方法が多く採用されている。
【０００５】
また、磁気通信インターフェースを携帯電話に内蔵すればＢｌｕｅｔｏｏｔｈも中継器も不要となるのは明らかであるが（例えば、特許文献３参照）、通信距離が１ｍ前後と短い磁気通信インターフェースの用途は補聴器に限られており、よって小型化と軽量化が強く求められる携帯電話へ補聴器を使用する人だけしかメリットのない磁気通信インターフェースを搭載することは難しく実現されてはいない。
【先行技術文献】
【特許文献】
【０００６】
【特許文献１】特許第４７０９２２８号公報
【特許文献２】特開２０１０−２４６１２１号公報
【特許文献３】特開２００７−３２５０４２号公報
【発明の概要】
【発明が解決しようとする課題】
【０００７】
携帯電話やスマートホン等の無線携帯端末の普及が著しい現在、補聴器も無線携帯端末と併用した場合に高品質な通話特性を達成する必要がある。
【０００８】
しかしながら近年の携帯電話では低消費電力化や薄型化のために、またスマートホンでは操作用の画面自体をレシーバとするために磁界を発生しない圧電方式等によるレシーバが採用されており、従来のテレコイルを用いる補聴システムは使用できないという問題があった。さらに携帯端末の中でもＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）や特定小電力を利用する方式では繰返し周波数が音声領域にある連続バースト電波を発することから、携帯端末を補聴器に近づけて使用するとアナログ信号を増幅する補聴器内のテレコイルアンプやマイクアンプに強力な高周波信号が入力されて振幅飽和し前記連続バーストの繰返し周波数成分が検波されて雑音として聞こえてしまうという問題があった。
【０００９】
また従来のＢｌｕｅｔｏｏｔｈを用いる補聴システムでは、通話時はもちろん着信を待っている間も前記の中継装置を首にかけておく必要があり不便であった。
【００１０】
そこで本発明は、携帯端末に装着するだけで、この携帯端末からの音声を受信することが出来る、携帯端末アダプタおよび、それを用いた補聴器システムを提供することを目的とするものである。
【課題を解決するための手段】
【００１１】
そして、この目的を達成するために本発明の携帯端末アダプタは、前記携帯端末に装着されるアダプタ本体と、このアダプタ本体内に設けられるとともに、前記携帯端末の音を収集する第一のマイクと、この第一のマイクに接続された信号処理部と、この信号処理部からの信号を磁気通信変調する磁気通信変調部と、この磁気通信変調部の信号を送信する第一のアンテナとを有する構成とする。
【００１２】
また、本発明の補聴器システムは、前記携帯端末アダプタと、この携帯端末アダプタからの音声信号が供給される補聴器とを備え、前記補聴器は、周囲の音を収集する第二のマイクと、この第二のマイクの出力側に切り替え部を介して接続された補聴処理部と、この補聴処理部の出力側に接続されたレシーバと、前記切り替え部の入力側に磁気通信復調部を介して接続された磁気通信を受信する第三のアンテナと、前記第三のアンテナからの磁気通信を検出した場合に、前記切り替え部に対して、前記磁気通信復調部からの信号を前記補聴処理部に出力されるように指示する磁気通信検出部とを有する構成としたものである。
【００１３】
そして、以上の構成により所期の目的を達成するものである。
【発明の効果】
【００１４】
本発明の上記構成によれば、筐体背面に携帯端末アダプタを取付けるだけで磁界を発生しないレシーバを搭載している携帯端末でも上述の首かけタイプ中継装置を用いずに、且つ携帯電波の発する連続バースト電波に由来する雑音のない補聴システムが実現できる。
【図面の簡単な説明】
【００１５】
【図１】本発明の実施の形態１における使用状態を示す図
【図２】同補聴器のブロック図
【図３】同携帯端末アダプタのブロック図
【図４】同携帯端末アダプタの斜視図
【発明を実施するための形態】
【００１６】
以下に、本発明の補聴器の実施の形態を図面とともに詳細に説明する。
【００１７】
（実施の形態１）
図１は、本発明の実施形態における補聴器システムの使用状態を表している。
【００１８】
図１においては補聴器１は耳２に装着された状態であり、周囲の音を収集するマイク３（第二のマイク）と、このマイク３で収集された音声データに対して補聴処理を行う補聴処理部４（図２参照）と、この補聴処理部４で補聴処理された音声データを、音の振動として出力するレシーバ５と、後述する携帯端末用アダプタ６から送信された磁気通信を受信する磁気通信受信用アンテナコイル７（第三のアンテナ）を有している。
【００１９】
携帯端末８には、電話の音声を出力するレシーバ９が備えられており、そのレシーバ９付近であって、携帯端末８の裏面側に携帯端末用アダプタ６を装着している状態である。
【００２０】
携帯端末用アダプタ６は、携帯端末８に装着されており、レシーバ９から出力される音声を収集するマイク１０（第一のマイク）と、携帯端末用アダプタ６の周囲には、補聴器１に対して磁気通信を行うための磁気通信送信用アンテナコイル１１（第一のアンテナ）と、携帯端末８の電波を受信する携帯端末用アンテナ１２（第二のアンテナ）を有している。
【００２１】
次に、図２を用いて補聴器１の詳細な構成を説明する。
【００２２】
マイク３で入力された音声データは、マイクアンプ１３で増幅され、Ａ／Ｄコンバータ１８でデジタル音声データに変換された後、切り替え部１４に入力される。
【００２３】
磁気通信受信用アンテナコイル７で受信された磁界の変動は、磁気通信ＲＦアンプ１５で増幅され、その後、磁気通信復調部１６で音声データに復調され、切り替え部１４に入力される。
【００２４】
切り替え部１４は上述の通り、マイクアンプ１３と、磁気通信復調部１６とからの入力信号を切り替えるようになっており、補聴器１の通常動作時においてはＡ／Ｄコンバータ１８が選択されるようになっている。
【００２５】
また磁気通信検出部１７は、磁気通信ＲＦアンプ１５および切り替え部１４に接続され、磁気通信ＲＦアンプ１５から入力された磁気レベルが所定の値（例えば、磁気通信ＲＦアンプ１５の電源電圧の中間値）を超えた場合に、切り替え部１４に対して磁気通信復調部１６の入力を選択するように制御を行う。
【００２６】
切り替え部１４から出力される音声データは、補聴処理部４に出力され、
補聴器１使用者の聴力に適するように補聴処理を行い、Ｄ／Ａコンバータ１９に出力する。
【００２７】
Ｄ／Ａコンバータ１９は、デジタル信号からアナログ信号に変換した後、レシーバーアンプ２０に出力し、このアナログ信号は、アナログ信号を増幅するレシーバーアンプ２０を経由して、レシーバ５に出力される。
【００２８】
このような構成にすることで、補聴器１は、マイク３で収集した周囲音に対して補聴処理部４で補聴処理を行った結果をレシーバ５から出力する通常使用状態において、磁気通信検出部１７で携帯端末用アダプタ６からの信号を検出した際には、携帯端末用アダプタ６から磁気通信で送られてきた音声データに切り替え部１４で自動的に切り替えることで、携帯端末８での通話モードに設定することができる。
【００２９】
次に、図３を用いて携帯端末用アダプタ６の詳細な構成を説明する。
【００３０】
マイク１０で収集された携帯端末８の音は、マイクアンプ２１で増幅され、Ａ／Ｄコンバータ２２でアナログ信号からデジタル信号に変換された後、信号処理部２３に送られる。
【００３１】
また、携帯端末電波検出部２４は、携帯端末用アンテナ１２によって携帯端末８が通話中に発する電波を受信した携帯端末受信レベルが、所定の閾値を超えた場合に、信号処理部２３に対し通知する。なお、携帯端末８のアンテナと携帯端末用アダプタ６の取り付けの位置関係によって、携帯端末用アンテナ１２で受信する携帯端末８の電波の受信レベルが変わってくるため、前記携帯端末受信レベルの閾値を一律に決めておくのではなく、任意に設定できるようにすることが望ましい。
【００３２】
信号処理部２３は、携帯端末電波検出部２４から通知が来た場合に、Ａ／Ｄコンバータ２２からの音声データを磁気通信変調部２５に送信する。
【００３３】
この磁気通信変調部２５は、信号処理部２３からの音声データに従い、搬送周波数の振幅・位相・周波数の内いずれか一つ以上をデジタル変調するものである。そして、磁気通信変調部２５でデジタル変調された磁界が、磁気通信送信用アンテナコイル１１から、送信される。
【００３４】
さらに、信号処理部２３に接続された、ボリュームアップボタン２６、ボリュームダウンボタン２７、モード切替ボタン２８を有し、これらのボタンを操作することで、補聴器１のボリューム調整や補聴器１の動作モードを切り替える。これらボタンの状態は、信号処理部２３によって、補聴器１への制御信号に変換され、磁気通信変調部２５で変調された後、磁気通信送信用アンテナコイル１１より送信される。
【００３５】
また、このような構成の携帯端末用アダプタ６は電池２９で駆動されるが、携帯端末用アダプタ６が待機状態、すなわち、携帯端末８が通話状態でない場合には、信号処理部２３、携帯端末用アンテナ１２、携帯端末電波検出部２４のみが電源が供給され起動状態となる。このような状態において、携帯端末電波検出部２４が携帯端末８の電波を検出することによって、信号処理部２３は、電源スイッチ３３を制御し、マイク１０、マイクアンプ２１、磁気通信変調部２５、磁気通信送信用アンテナコイル１１の電源を入れるようにする。こうすることで、携帯端末８が通話状態でないときには、携帯端末用アダプタ６を最小限の電力で駆動することができるので、電池２９の無駄な消耗を防ぐことができるのである。
【００３６】
以上のような構成において携帯端末用アダプタ６は、携帯端末８が通話状態でない場合には、不要な回路の電力供給を抑えることによる省エネモードとなっており、携帯端末電波検出部２４が携帯端末８の電波を検出した場合、すなわち携帯端末８が通話状態になった場合には、信号処理部２３は、電力未供給であったマイク１０、マイクアンプ２１、磁気通信変調部２５、磁気通信送信用アンテナコイル１１に電力を供給し、補聴器１との磁気通信が行える状態とする。そして、携帯端末８のレシーバ９から漏れ出る音声をマイク１０で収集し、補聴器１対して磁気通信で送信するのである。
【００３７】
図４は、携帯端末用アダプタ６の斜視図である。
【００３８】
携帯端末用アダプタ６は、携帯端末８に貼り付けて使用する形態となるので、携帯端末８を携帯する際に携帯端末用アダプタ６が邪魔にならないような形状が望まれる。そこで、本実施形態では、引っかかりが無く、邪魔にならない筐体の形状としてドーム形状を採用している。
【００３９】
携帯端末用アダプタ６の筐体は、ドーム形状の蓋部３０と、円盤形状の底部３１で構成されている。
【００４０】
蓋部３０にはボリュームアップボタン２６、ボリュームダウンボタン２７、モード切替ボタン２８を備え（図４（ａ）参照）、底部３１には、マイク１０、磁気通信送信用アンテナコイル１１、携帯端末用アンテナ１２、電池２９、回路基板３２が備えられている（図４（ｂ）参照）。また、底部３１のマイク１０の設置箇所には、集音用開口部を設け（図示無し）、携帯端末８のレシーバ９が発する音声を収集しやすくしている。
【００４１】
この回路基板３２は、マイクアンプ２１、Ａ／Ｄコンバータ２２、信号処理部２３、携帯端末電波検出部２４、磁気通信変調部２５が搭載されているものである。
【００４２】
そして、携帯端末用アダプタ６を携帯端末８に貼り付けるために、底部３１の裏面には両面テープなどの粘着部材が備えられている（図示無し）。
【００４３】
磁気通信送信用アンテナコイル１１は、底部３１の外周に沿うように設けられている。このように、磁気通信送信用アンテナコイル１１の直径をできるだけ大きくすることにより、補聴器１に備えられた磁気通信受信用アンテナコイル７が、この磁界を受けることができる範囲を広くすることができ、これにより、携帯端末８が耳２から、多少ズレた状態においても良好に通信できるようになるのである。
【００４４】
電池２９は、底部３１の略中央に配置している。これは、携帯端末用アダプタ６の筐体形状を考慮したものであり、蓋部３０中央部の最も高さを確保できる場所としているため、蓋部３０をドーム形状にデザインすることに貢献している。
【００４５】
このように、携帯端末用アダプタ６をドーム形状により、携帯端末８に貼り付けて使用する際に邪魔にならず使い勝手の良いものとなる。
【００４６】
また、磁気通信送信用アンテナコイル１１の直径をできるだけ大きくするために携帯端末用アダプタ６の外周に配置することにより、携帯端末８と補聴器１との位置ズレの許容範囲を広くすることができ、使い勝手の良いものとなる。
【００４７】
なお、本実施形態では、携帯端末用アダプタ６が携帯端末８の電波を検出し通話状態になったことを判断したときに補聴器１と音声通信を行う構成としたが、それに限らず、携帯端末用アダプタ６からの送信機能をメカニカルスイッチなどで有効・無効を制御すれば、携帯端末８の通話機能以外の、例えば音楽再生機能などにも適応することができる。
【産業上の利用可能性】
【００４８】
以上のように、本発明の補聴器によれば、筐体背面に携帯端末アダプタを取付けるだけで磁界を発生しないレシーバを搭載している携帯端末でも上述の首かけタイプ中継装置を用いずに、且つ携帯電波の発する連続バースト電波に由来する雑音のない補聴システムが実現できるので、広く活用が期待される。
【符号の説明】
【００４９】
１  補聴器
２  耳
３  マイク
４  補聴処理部
５  レシーバ
６  携帯端末用アダプタ
７  磁気通信受信用アンテナコイル
８  携帯端末
９  レシーバ
１０  マイク
１１  磁気通信送信用アンテナコイル
１２  携帯端末用アンテナ
１３  マイクアンプ
１４  切り替え部
１５  磁気通信ＲＦアンプ
１６  磁気通信復調部
１７  磁気通信検出部
１８  Ａ／Ｄコンバータ
１９  Ｄ／Ａコンバータ
２０  レシーバーアンプ
２１  マイクアンプ
２２  Ａ／Ｄコンバータ
２３  信号処理部
２４  携帯端末電波検出部
２５  磁気通信変調部
２６  ボリュームアップボタン
２７  ボリュームダウンボタン
２８  モード切替ボタン
２９  電池
３０  蓋部
３１  底部
３２  回路基板
３３  電源スイッチ
【図１】
2014011710.tif 000003
【図２】
2014011710.tif 000004
【図３】
2014011710.tif 000005
【図４】
2014011710.tif 000006